(57)【要約】【課題】停車地点の名称を自動付与する。【解決手段】車両が停車した停車時刻と停車地点を含む停車情報を取得する停車情報取得部２０と、時間情報を含み、利用者の行動に関する行動情報２０２１を取得する行動情報取得部３０と、施設名称に関する単語を定義する施設辞書４１を参照し、停車時刻に対応する時間情報を含む行動情報２０２１から施設を表す字句を抽出し、抽出された字句に対応する施設名称を停車地点の名称と推測する地点名称推測部４０と、推測された名称を停車地点に付記する名称付記部５０と、名称が付記された停車地点を外部に出力する出力部６０と、を有する。【選択図】  図２
2010048658.tif 000002
【特許請求の範囲】
【請求項１】
車両に搭載される停車地点管理装置であって、
前記車両が停車した停車時刻と停車地点を取得する停車情報取得手段と、
時間情報を含み、利用者の行動に関する行動情報を取得する行動情報取得手段と、
前記車両の停車時刻と前記行動情報とに基づいて、前記停車地点の名称を推測する地点名称推測手段と、
前記推測された名称を前記停車地点に付記する名称付記手段と、を有する停車地点管理装置。
【請求項２】
請求項１に記載の停車地点管理装置において、
前記地点名称推測手段は、施設名称に関する単語を定義する施設辞書を参照し、前記停車時刻に対応する時間情報を含む行動情報から前記施設名称に関する単語を抽出し、前記抽出された単語に関する施設名称を前記停車地点の名称と推測する停車地点管理装置。
【請求項３】
請求項１又は２に記載の停車地点管理装置において、
前記地点名称推測手段は、ある場所に立ち寄る行動に関する単語を定義する行動辞書を参照し、前記停車時刻に対応する時間情報を含む行動情報から前記ある場所に立ち寄る行動に関する文節を抽出し、前記抽出された文節と係り受けの関係を有する単語を前記停車地点の名称と推測する停車地点管理装置。
【請求項４】
請求項１〜３の何れか一項に記載の停車地点管理装置において、
前記地点名称推測手段は、施設の位置情報と施設の名称とが対応づけられた施設情報を参照し、前記停車地点との距離が所定値未満の施設を選択し、前記停車時刻に対応する時間情報を含む行動情報から前記選択された施設の名称抽出し、前記抽出された名称を前記停車地点の名称と推測する停車地点管理装置。
【請求項５】
請求項４に記載の停車地点管理装置において、
前記地点名称推測手段は、さらに、施設の属性と施設の名称とが対応づけられた施設情報を参照し、前記停車時刻に対応する時間情報を含む行動情報から前記施設の属性を抽出し、前記抽出された属性に対応づけられた施設名称を前記停車地点の名称と推測する停車地点管理装置。
【請求項６】
請求項５に記載の停車地点管理装置において、
前記施設の属性は、施設の種別、施設が提供するサービス、施設が販売する商品、又は施設を利用する際の目的のいずれか一つ以上である停車地点管理装置。
【請求項７】
請求項１〜６の何れか一項に記載の停車地点管理装置において、
前記利用者の行動情報は、前記利用者の行動が記載されたウェブログ情報である停車地点管理装置。
【請求項８】
請求項１〜６の何れか一項に記載の停車地点管理装置において、
前記利用者の行動情報は、前記利用者の行動が記載された電子メール情報である停車地点管理装置。
【請求項９】
前記車両が停車した停車時刻と停車地点を取得し、
前記停車時刻と利用者の行動が時間情報に対応づけられた行動情報とに基づいて前記停車地点の名称を推測し、
前記推測した停車地点を管理する停車地点管理方法。
【請求項１０】
車両に搭載された停車地点管理装置と、前記停車地点管理装置と相互に情報の授受が可能な情報提供装置とを備えた停車地点管理システムであって、
前記情報提供装置は、前記利用者の行動に関する行動情報を時間情報に対応づけて記録する記録手段を備え、
前記停車地点管理装置は、
前記車両が停車した停車時刻と停車地点を取得する停車情報取得手段と、
前記情報提供装置側から行動情報を取得する行動情報取得手段と、
前記車両の停車時刻と前記行動情報とに基づいて、前記停車地点の名称を推測する地点名称推測手段と、
前記推測された名称を前記停車地点に付記する名称付記手段と、を有する停車地点管理システム。
【発明の詳細な説明】
【技術分野】
【０００１】
本発明は、車両の停車地点に利用者が認識しやすい名称を付して管理する停車地点情報管理装置、停車地点情報管理システム及び停車地点情報管理方法に関する。
【背景技術】
【０００２】
車両を停めてエンジンを切った地点の情報に、地図データに含まれる地名、近くのランドマーク名称、汎用名称、又はその場で付され他任意名称などのインデックスを付して登録する車両走行誘導装置が知られている（特許文献１参照）。
【０００３】
【特許文献１】特開２００１−１０８４６６号公報
【発明の開示】
【発明が解決しようとする課題】
【０００４】
しかしながら、従来の車両走行誘導装置は利用者自身の認識に関係なく停車地点にインデックスが付されるため、停車地点に対する利用者の印象が薄く、利用者が登録された停車地点を直観的に認識（理解）することができない場合があるという問題があった。
【０００５】
本願発明が解決しようとする課題は、停車地点の情報を、利用者が直観的に認識（理解）できるように管理することである。
【課題を解決するための手段】
【０００６】
本発明は、車両の停車時刻及び停車地点と、時間情報に対応づけられた利用者の行動情報とに基づいて、停車地点に名称を付することにより、上記課題を解決する。
【発明の効果】
【０００７】
本発明によれば、利用者の行動の記録に基づいて停車地点に名称を付することができるため、停車地点を自動登録する場合であっても、停車地点の情報を利用者に直観的に認識（理解）させることができる。
【発明を実施するための最良の形態】
【０００８】
本実施形態の停車地点管理装置１００は、車両の停車地点に名称を付して管理する装置である。管理された停車地点の名称は、経路探索処理の目的地、利用者の行動履歴の作成などに用いられる。
【０００９】
図１は、停車地点管理装置１００を含む停車地点管理システム１００００の構成例を示す図である。図１に示すように、停車地点管理システム１００００は、車両に搭載された停車地点管理装置１００を含む車載装置Ａと、情報提供サーバ２０００Ａ及び／又は２０００Ｂを備える。この情報提供サーバ２０００は、プロバイダなどの情報の授受を管理する情報センターが有する情報管理用のコンピュータであってもよいし、通信ネットワークに接続可能な情報管理用のコンピュータであってもよい。
【００１０】
＜第１実施形態＞
以下、図面に基づいて本発明に係る実施形態について説明する。
【００１１】
図２は、本実施形態に係る停車地点管理装置１００を含む車載のナビゲーション装置１０００のブロック構成の一例、情報提供サーバ２０００のブロック構成の一例を示す図である。
【００１２】
まず、情報提供サーバ２０００について説明する。情報提供サーバ２０００は、利用者の行動に関する行動情報２０２１の記録処理を行う。
【００１３】
具体的に、この情報提供サーバ２０００は、サーバ側通信機能２０１０と、記憶機能２０２０とを備える。
【００１４】
サーバ側通信機能２０１０は、有線又は無線の通信機能を有し、後述する停車地点管理装置１００とパーソナルコンピュータ３０００と情報の授受を行う。
【００１５】
また、記憶機能２０２０は、利用者ごとに識別された情報（行動情報２０２１を含む）を一元的に管理し、その行動情報２０２１の書き込み、編集、及び第三者の閲覧を受け付ける。
【００１６】
この行動情報２０２１は、時間情報を含み、利用者が実際に行った行動に関する情報である。行動情報２０２１は、利用者が「何時」「何処」にいたか、さらに、「何時」「何処で」「何をしたか」という情報を含むことが好ましい。例えば、行動情報２０２１としては、アクセス可能な通信網上に設けられたサイトに利用者が自らの行動を日記にように記したウェブログ情報２０２２や、利用者が自らの行動を他人に知らせるために記した電子メール情報２０２３などを用いることができる。そのほか、行動情報２０２１として、パーソナルコンピュータ３０００や情報提供サーバ２０００に記録された利用者の行動が記されたスケジュール帳を用いることもできる。
【００１７】
利用者は、時間と場所を選ぶことなく、パーソナルコンピュータ３０００から、行動情報２０２１を入力することができる。パーソナルコンピュータ３０００は、ウェブブラウザ機能を有し、情報提供サーバ２０００側に設けられたウェブログのサイトにアクセスし、利用者ＩＤが付された領域に情報を書き込むとともに書き込まれた情報を読み込む。また、パーソナルコンピュータ３０００は、電子メール送受信機能を有し、電子メールの作成、送信及び受信を行うことができる。
【００１８】
なお、パーソナルコンピュータ３０００は、利用者が携帯可能なＰＤＡ（Personal Digital Assistant）、ＰＮＤ（Personal Navigation Device）、携帯電話などの小型コンピュータであってもよい。
【００１９】
次に、車載装置Ａについて説明する。本実施形態の車載装置Ａは、停車地点管理装置１００を含むナビゲーション装置１０００と、車両コントローラ４０００と、入出力装置５０００とを備える。ナビゲーション装置１０００（停車地点管理装置１００を含む）と、車両及び車載装置の情報を集中的に管理する車両コントローラ４０００と、入出力装置５０００とは、ＣＡＮ（Controller Area Network）その他の車載ＬＡＮによって接続され、相互に情報の授受を行う。
【００２０】
なお、停車地点管理装置１００を含むナビゲーション装置１０００、及び車両コントローラ４０００、情報提供サーバ２０００、及び外部装置３０００は、ＣＰＵ（Central Processing Unit）、ＭＰＵ（Micro Processing Unit）、ＤＳＰ（Digital Signal Processor）、ＦＰＧＡ（Field Programmable Gate Array）などの動作回路を組み合わせて構成される。
【００２１】
続いて、停車地点管理装置１００について説明する。
【００２２】
本実施形態に係る停車地点管理装置１００は、通信部１０と、停車情報取得部２０と、行動情報取得部３０と、地点名称推測部４０と、名称付記部５０と出力部６０とを有する。特に限定されないが、地点名称推測部４０をはじめ、通信部１０、停車情報取得部２０、行動情報取得部３０．名称付記部５０、及び出力部６０は、例えば、マイクロコンピュータとメモリから構成されて動作するプログラムや、それぞれの処理を回路として組み込んだＡＳＩＣ（Application Specific Integrated Circuit）、ＦＰＧＡ（Field Programmable Gate Array）を用いて構成することができる。
【００２３】
以下、停車地点管理装置１００の各構成の機能について説明する。
【００２４】
通信部１０は、通信ネットワーク上に構成された情報提供サーバ２０００との間の通信を行う広域通信機能を備え、情報提供サーバ２０００、パーソナルコンピュータ３０００その他の外部装置との情報の授受を行う。通信部１０の具体的な態様は特に限定されず、携帯電話網、ＵＷＢ（Ultra Wide Band）やＤＳＲＣ（Dedicated Short Range Communication）などの無線ＬＡＮ、地上波データ放送波、衛星放送波などを用いることができる。
【００２５】
また、通信部１０は、ナビゲーション装置１０００、車両コントローラ４０００、入出力装置５０００その他の各車載装置と情報の授受を行うため、ＣＡＮ（Controller Area Network）その他の車載ＬＡＮを介した無線通信機能を備える。
【００２６】
停車情報取得部２０は、停車情報記憶機能２１を有し、ナビゲーション装置１０００が備える記憶装置３００に蓄積された、車両の停車時刻と停車地点を含む停車情報を取得し、記憶する。
【００２７】
ナビゲーション装置１０００の記憶装置３００は、車両コントローラ４０００から得た情報に基づいて車両の停車したタイミングを判断し、その停車タイミングにおける現在位置を現在位置検出装置２００から取得し、これらを対応づけて停車履歴３０２として蓄積する。
【００２８】
具体的に、記憶装置３００は、車両コントローラ４０００から取得するイグニッションスイッチ情報、ＡＣＣオンオフ情報、エンジン情報に基づいて、自車両の走行が終了したタイミングに基づいて、車両が停車したタイミングを判断する。
【００２９】
また、ナビゲーション装置１０００の現在位置検出部２００は、ＧＰＳシステム２０１を備え、測位衛星から発信される電波をＧＰＳアンテナで受信し、自車両の現在位置を所定周期ごとに取得する。また、現在位置検出部２００は、ジャイロセンサ及び車輪に取り付けられた距離センサから入力される測位データに基づいて累積計算法によって現在位置を推定する自律航法を用いて車両の位置を測位する。なお、車両の現在位置の表現態様は特に限定されず、緯度・経度、その他の地図座標に基づいて表現することができる。
【００３０】
記憶装置３００は、現在位置検出部２００から車両が停車したタイミングにおける現在位置を取得する。そして、記憶装置３００は、車両が停車したタイミング（停車時刻）と停車地点を停車履歴３０２として記憶し、停車地点管理装置１００が停車履歴３０２を参照することを許可する。
【００３１】
続いて、行動情報取得部３０について説明する。本実施形態の行動情報取得部３０は、通信部１０を介して情報提供サーバ２０００の記憶機能２０２０にアクセスし、ここに格納された行動情報２０２１を取得する。
【００３２】
なお、行動情報２０２１がパーソナルコンピュータ３０００に記憶されている場合は、行動情報取得部３０は、通信部１０を介してパーソナルコンピュータ３０００にアクセスし、その記憶機能３０３に格納された行動情報３０３１を取得してもよい。
【００３３】
さらに、地点名称推測部４０について説明する。
【００３４】
本実施形態の地点名称推測部４０は、車両の停車時刻と行動情報２０２１とに基づいて、停車地点の名称を推測する。具体的に、地点名称推測部４０は、行動情報２０２１に含まれる時間情報を参照し、車両の停車時刻に対応する時間に行われた行動に関する行動情報２０２１に基づいて、停車地点の名称を推測する。
【００３５】
車両の停車時刻とこれに対応する行動情報２０２１の時間情報との関係は、任意に定義することができる。たとえば、行動情報２０２１の時間情報は、車両の停車時刻を含む時間、車両の停車時刻後から車両の走行開始時刻までの一部または全部の時刻を含む時間（ある施設内で車両を停車させ、施設を利用し、その施設から帰るまでの時間と一部又は全部が長福する時間）、車両の停車時刻が属する日にちなどと定義することができる。
【００３６】
本実施形態における「車両の停車時刻に対応する時間情報を含む行動情報２０２１」とは、停車時刻を含む時間、日にち又は期間（週、月、季、休暇）における利用者の行動についての記事が記載されたウェブログ情報や、電子メール情報などである。
【００３７】
続いて、停車地点の名称の推測手法について説明する。停車地点の名称の推測手法は特に限定されないが、以下に４つの手法の例を説明する。
【００３８】
第１の手法において、地点名称推測部４０は、予め準備した施設辞書４１を用いて、施設の名称を推測する。
【００３９】
本実施形態の地点名称推測部４０は、施設の名称に関する単語を予め定義する施設辞書４１を備える。地点名称推測部４０は、施設辞書４１を参照し、停車時刻に対応する時間情報を含む行動情報２０２１から施設名称に関する単語を抽出し、抽出された単語に対応する施設名称を停車地点の名称と推測する。
【００４０】
図３は、施設辞書４１の一例を示す図である。図３に示すように、施設辞書４１は、施設を識別する施設ＩＤ（識別記号）と、施設の位置情報と、施設の名称リストを含む。施設名称リストは、施設の正式名称、施設の名称の略称（複数種類の略称があるときは、各略称）を含む。
【００４１】
また、施設辞書４１は、施設の名称に共通して使われる字句を施設名称リストとして定義することもできる。たとえば、施設の名称に含まれる可能性が高い字句として、「センター」「モール」「クラブ」「ランド」「館」「所」「院」などの字句を、施設を示す単語として定義してもよい。
【００４２】
地点名称推測部４０は、このような施設辞書４１を参照し、停車時刻を含む時間帯における利用者の行動の記録が記されたテキスト形態の行動情報２０２１から施設に関する単語を抽出し、抽出された単語に対応する施設名称を停車地点の名称と推測する。
【００４３】
第２の手法において、施設名称推測部４０は、利用者がある場所に立ち寄る行動が表現された行動情報２０２１中の文節を手掛かりに施設名称を推測する。
【００４４】
本実施形態の地点名称推測部４０は、ある場所に立ち寄る行動に関する単語を予め定義する行動辞書４２を備える。地点名称推測部４０は、行動辞書４２を参照し、停車時刻に対応する時間情報を含む行動情報２０２１から「ある場所に立ち寄る行動」に関する文節を抽出する。
【００４５】
図４は、行動辞書４２の一例を示す図である。図４に示すように、利用者がある場所に立ち寄る行動に関する単語を予め定義する。利用者がある場所に立ち寄る行動に関する単語は、利用者が「ある施設」に存在した事実が推認できる単語を任意に定義することができ、図４に示すように、ある場所に「行った」、ある場所に「立ち寄った」、ある場所を「訪問した」、ある場所に「着いた」といった単語を例示することができる。
【００４６】
さらに、本実施形態の地点名称推測部４０は、自然言語で記述された文章中における文節（単語）と文節（単語）との係り受け構造を解析する構文解析機能４３を有する。この構文解析機能４３は、先に抽出されたある場所に立ち寄る行動に関する文節と係り受けの関係を有する単語を特定する。構文解析機能４３は、「利用者が行った」という行動と、利用者が「行った場所」との係り受け構造を解析し、「ある場所に立ち寄る行動に関する単語」をかかり受ける「行った場所」を示す単語を特定する。
【００４７】
地点名称推測部４０は、構文解析機能４３により特定された、立ち寄る行動に関する文節を係り受ける単語を停車地点の名称として推測する。
【００４８】
第３の手法において、施設名称推測部４０は、停車地点の周辺の施設の名称を手掛かりに施設名称を推測する。
【００４９】
本実施形態の地点名称推測部４０は、位置情報と施設の名称とが対応づけられた施設情報４４１及びこの施設情報４４１を参照する施設情報参照機能４４を有する。また、施設情報参照機能４４は、ナビゲーション装置１０００の地図情報４００に重畳された施設情報４１０を参照することができる。
【００５０】
図５は、施設情報４４１又は４１０の一例を示す図である。図５に示すように、施設情報４４１又は４１０は、施設を特定する施設ＩＤ（識別記号）に位置情報と施設名称とが対応づけられている。
【００５１】
地点名称推測部４０は、停車情報取得部２０により取得された停車地点に基づいて、施設情報４４１又は４１０を参照し、停車地点との距離が所定値未満の施設を選択する。さらに、地点名称推測部４０は、停車時刻に対応する時間情報を含む行動情報２０２１に選択された施設（停車地点から所定距離以内の施設）が含まれる場合は、その選択された施設を停車地点の名称と推測する。つまり、地点名称推測部４０は、停車地点の近傍に位置する施設のうち、行動情報２０２１に記載された施設を、停車地点の名称と推測する。
【００５２】
第４の手法において、施設名称推測部４０は、停車地点の周辺の施設の属性を手掛かりに施設名称を推測する。
【００５３】
本実施形態の地点名称推測部４０は、位置情報と施設の名称と施設の属性とが対応づけられた施設情報４４１及びこの施設情報４４１を参照する施設情報参照機能４４を有する。
【００５４】
図５に示すように、施設情報４４１又は４１０は、施設を特定する施設ＩＤ（識別記号）に位置情報と施設名称とが対応づけられ、さらに、施設の属性が対応づけられている。
【００５５】
この施設の属性は、施設がどのような種別のものであるかを示す「施設のカテゴリ」情報、施設がどのようなサービスを提供するのかを示す「施設のサービス内容」、施設がどのような商品を販売するのかを示す「施設の取扱商品」、施設がどのような目的で利用されるのかを示す「施設の目的」を含む。これらの属性は、互いに重複しても良い。
【００５６】
たとえば、施設のカテゴリとしては、「アウトレットモール」「遊技場」「美術館」「ショッピングセンター」「ホテル」「レストラン」「温泉」などである。「サービスの内容」としては、「レストラン」「焼き肉」「ラーメン」「ガソリンスタンド」などである。「取扱商品」としては、「デパート（百貨店）」「スーパー」「パン」「ケーキ」などである。また、「目的」としては、「買いもの」「病院」「運動」「遊戯」である。
【００５７】
地点名称推測部４０は、施設のサービス内容や施設の取扱商品といった施設の属性を含む施設情報４４１又は４１０を参照し、停車時刻に対応する時間情報を含む行動情報２０２１から施設の属性を表す字句を抽出し、抽出された字句に対応する施設名称を停車地点の名称と推測する。
【００５８】
地点名称推測部４０は、以上の手法を用いて推測した停車地点の名称を名称付記部５０に送出する。
【００５９】
名称付記部５０は、地点名称推測部４０により推測された名称を、停車地点のＩＤ（識別記号）に対応づけ、内部の名称記憶領域５１に書き込み、又は出力部６０へ送出する。名称記憶領域５１は、記憶した停車地点と名称の情報を読み込み可能な状態で記憶する。
【００６０】
出力部６０は、名称が付記された停車地点の情報を外部に出力する。この名称が付記された停車地点の情報は、ナビゲーション装置１０００、情報提供サーバ２０００又はパーソナルコンピュータ３０００に向けて出力される。
【００６１】
「名称が付記された停車地点の情報」は、ナビゲーション装置１０００の経路探索部５００において、目的地の設定に用いられる。経路探索部５００の目的地設定機能５１０は、名称が付された停車地点の情報を、ディスプレイ５００１を介して利用者に提示する。利用者は提示された名称の一覧を見て目的地を選択することができる。この提示された地点の名称は、利用者の経験した行動に基づいて推測されたものであるから、利用者は直観的にその地点のことを認識し、適切に目的地を選択することができる。
【００６２】
また、情報提供サーバ２０００またはパーソナルコンピュータ１０００へ向けて出力された「名称が付記された停車地点の情報」は、利用者の行動履歴として用いることができる。利用者は、名称が付された停車地点の情報から移動の履歴を確認することができる。
【００６３】
続いて、図６のフローチャートに基づいて、以上のように構成された停車地点管理装置１００の動作制御手順を説明する。
【００６４】
停車地点管理装置１００は、車両コントローラ４０００から取得したエンジンオン又はエンジンオフの信号に呼応して、処理を開始する。なお、エンジンオフ後も所定時間の電力供給は確保される。
【００６５】
ステップＳ１０１において、停車情報取得部２０は、記憶装置３００の停車履歴３０２にアクセスし、停車時刻と停車地点を取得する。
【００６６】
また、ステップＳ１０２において、行動情報取得部３０は、情報提供サーバ２０００にアクセスし、行動情報２０２１を取得する。
【００６７】
ステップＳ１０３において、地点名称推測部４０は、ステップＳ１０１で取得した停車時刻とステップＳ１０２で取得した行動情報２０２１とに基づいて、停車地点の名称を推測する。この処理については、後に詳述する。
【００６８】
さらに、ステップＳ１０４において、名称付記部５０は、ステップＳ１０３で推測された名称を停車地点の情報に対応づける。
【００６９】
そして、ステップＳ１０５において、出力部６０は、名称が付された停車地点をナビゲーション装置１０００の経路探索部５００などの外部へ送出する。
【００７０】
続いて、図７のフローチャートに基づいて、地点名称の推測処理を説明する。図７に示す処理は、前述した停車地点の名称の推測手法のうち、第１の手法と、第２の手法とに関するものである。
【００７１】
まず、ステップＳ２０１において、地点名称推測部４０は停車情報取得部２０を介して車両が停車した停車時刻を取得する。
【００７２】
ステップＳ２０２において、地点名称推測部４０は、行動情報取得部３０により取得された行動情報２０２１を参照し、停車時刻が含まれる日付（時間情報）の行動情報２０２１を選択する。そして、地点名称推測部４０は、取得した行動情報２０２１の文章について形態素解析を行い、行動情報２０２１に含まれる単語又は字句を抽出し、形態素リストを作成する。
【００７３】
図８は、選択された行動情報２０２１の一例を示す図である。図８に示す行動情報２０２１は、利用者が情報提供サーバ２０００側に設けられたウェブログのサイトで、利用者自身の行動に関して記載した情報である。図８に示す行動情報２０２１は、時間情報が含まれる領域Ａと、見出しの情報が含まれる領域Ｂと、本文情報が含まれる領域Ｃを有する。図８の行動情報２０２１は、利用者が「グランベリーモール（登録商標）」に出かけた行動に関する記載である。
【００７４】
この行動情報２０２１における時間情報は、Ａ領域に書き込まれた日付情報である。時間情報の態様は特に限定されず、Ｃ領域の本分中に記載されてもよい。また、地点名称推測部４０は、Ａ領域に書き込まれた日付情報と、Ｃ領域の本文中に記載された「昨日」、「先週」、「明日」といった日付を特定する単語とから、行動情報２０２１の行動が行われた時間情報を求めることもできる。
【００７５】
ステップＳ２０３において、地点名称推測部４０は、施設名称に関する単語を定義する施設辞書４１を参照する。
【００７６】
続くステップＳ２０４において、地点名称推測部４０は、行動情報２０２１の形態素リストから施設辞書４１に定義された施設を表す単語を抽出する。
【００７７】
たとえば、施設辞書４１において、施設「グランベリーモール」の施設識別ＩＤに対して、名称の「グランベリーモール」、及び略称の「グランベリー」「グラモ」が定義され、施設「ラ・フェット（登録商標）多摩」の施設識別ＩＤに対して、名称の「ラ・フェット  多摩」、及び略称の「ラ・フェット」「ラフェタマ」が登録されているとする。
【００７８】
地点名称推測部４０は、図８に示す行動情報２０２１のテキスト情報の文章を形態素解析し、行動情報２０２１に含まれる単語Ｗ１の「グランベリー」と単語Ｗ２の「ラ・フェット」を抽出する。
【００７９】
さらに、ステップＳ２０５において、地点名称推測部４０は、ステップＳ２０４で施設の名称が抽出されたか否かを判断する。行動情報２０２１に施設の名称が何もなければ、処理を終了する（Ｓ２１１）。他方、ステップＳ２０４で施設の名称が抽出された場合は、ステップＳ２０６へ進み、行動情報２０２１に含まれる施設名称が複数あるか否かを判断する。
【００８０】
ステップＳ２０６において、行動情報２０２１に含まれる施設名称が複数ない、すなわち、施設名称が１つだけ行動情報２０２１に含まれる場合は、ステップＳ２０９へ進む。
【００８１】
他方、ステップＳ２０６において、行動情報２０２１に含まれる施設名称が複数抽出された場合は、ステップＳ２０７へ進む。図８に示す行動情報２０２１においては、２つの施設名称に関する単語が抽出されているので、ステップＳ２０７に進む。
【００８２】
ステップＳ２０７において、地点名称推測部４０は、ある場所に立ち寄る行動に関する単語を定義する行動辞書４２を参照し、停車時刻に対応する時間情報を含む行動情報２０２１からある場所に立ち寄る行動に関する文節を抽出する。
【００８３】
たとえば、図４に示すある場所に立ち寄る行動に関する単語が定義される行動辞書４２において、単語「お出掛け」が登録されていたとする。
【００８４】
地点名称推測部４０は、図８に示す行動情報２０２１のテキスト情報に含まれる字句Ｗ６の「お出掛け」を抽出する。
【００８５】
さらに、ステップＳ２０８において、地点名称推測部４０の構文解析機能４３は、行動情報２０２１のテキスト情報の文章を解析し、抽出された文節と係り受けの関係を有する単語を抽出する。図８に示す行動情報２０２１を例にすると、地点名称推測部４０は、字句Ｗ６の「お出掛け」と係り受けの関係を有する単語Ｗ１の「グランベリー」を抽出する。
【００８６】
そして、ステップＳ２０９において、地点名称推測部４０は、利用者の立ち寄り行動に関する文節と係り受けの関係を有する単語を、停車地点の名称と推測する。図８に示す行動情報２０２１を例にすると、単語Ｗ１の「グランベリー」を、停車地点の名称と推測する。
【００８７】
このように、施設名称を含むか否かというだけではなく、文章の構文を解析し、利用者の立ち寄る行動を表す単語との係り受けの関係に基づいて停車地点の名称を推測するため、利用者の行動に基づいて、停車地点の名称を推測することができる。
【００８８】
続いて、図９のフローチャートに基づいて、地点名称の推測処理の他の例を説明する。図９に示す処理は、前述した停車地点の名称の推測手法のうち、第３の手法と、第４の手法とに関するものである。
【００８９】
まず、ステップＳ３０１において、地点名称推測部４０は停車情報取得部２０を介して車両の停車地点を取得する。
【００９０】
ステップＳ３０２において、地点名称推測部４０は、図３に示すような施設情報４４１又は４１０を参照し、停車地点から所定距離範囲内の施設を選択し、その名称を特定する。
【００９１】
図１０は、利用者の車両が停車した停車地点Ｘの周辺を示す図である。図１０に示すように、停車地点Ｘを中心とする所定距離未満の領域（破線の円の内側）には、施設Ｂ〜Ｅが存在する。
【００９２】
地点名称推測部４０は、施設情報４４１又は４１０を参照し、図１１に示すように、停車地点Ｘから所定距離範囲内の施設について、地点Ｂの名称は「グランベリーモール」、地点Ｃの名称は「南町田駅」、地点Ｄの名称は「ラーメン○○家」、地点Ｅの名称は「○○公園」と特定する。
【００９３】
さらに、ステップＳ３０３において、地点名称推測部４０は、行動情報２０２１に含まれる時間情報と、停車時刻とを比較し、停車時刻が含まれる時間の時間情報を含む行動情報２０２１を読み込む。そして、地点名称推測部４０は、取得した行動情報２０２１について形態素解析を行い、行動情報２０２１に含まれる文節をリストにした形態素リストを作成する。
【００９４】
ステップＳ３０４において、地点名称推測部４０は、停車時刻に対応する時間情報を含む行動情報２０２１に、ステップＳ３０２で選択された停車地点近傍の施設の名称が含まれるか否かを判断する。そして、行動情報２０２１に停車地点近傍に存在する施設の名称が含まれる場合は、その施設の名称を特定する。
【００９５】
たとえば、図８に示す行動情報２０２１の形態素リストに「グランベリーモール」が含まれ、図１１に示すように、停車地点Ｘから所定距離範囲内に存在する施設の名称として「グランベリーモール」、「南町田駅」、「ラーメン○○家」、「○○公園」が特定された場合は、共通する名称「グランベリーモール」を特定する。
【００９６】
続くステップＳ３０５において、地点名称推測部４０は、停車地点から所定距離範囲内にあり、かつ行動情報２０２１に含まれる施設名称を１つ特定できたか否かを判断する。地点名称推測部４０は施設名称を１つだけ特定した場合は、ステップＳ３１０へ進む。
【００９７】
ステップＳ３１０において、地点名称推測部４０は、ステップＳ３０５において特定された施設名称を、停車地点の名称と推測する。
【００９８】
再びステップＳ３０５に戻り、ステップＳ３０５において、停車地点から所定距離範囲内にある施設名称を１つだけ特定できなかった、すなわち、施設名称が１つも特定できなかった場合及び施設名称が複数特定できた場合は、ステップＳ３０６へ進む。図１０、１１に示す例では、４つの施設名称が特定されたので、ステップＳ３０６に進む。もちろん、名称推測処理の確度向上の観点から、停車地点から所定距離範囲内にある施設についても、ステップＳ３０６以降の処理を行ってもよい。
【００９９】
続いて、ステップＳ３０６において、地点名称推測部４０は、施設の属性と施設の名称とが対応づけられた施設情報４４１又は４１０を参照する。
【０１００】
ステップＳ３０７において、地点名称推測部４０は、先に作成した形態素リストを参照し、停車時刻に対応する時間情報を含む行動情報２０２１から施設の属性を表す字句を抽出する。抽出する対象となる施設の属性を表す字句は、施設属性４４１又は４１３において予め定義されている。
【０１０１】
たとえば、施設属性４４１又は４１３の施設のカテゴリとして「アウトレットショップ」が含まれ、施設の取扱商品に「ダウンジャケット」が含まれ、施設の目的に「買い物」が含まれている場合、地点名称推測部４０は、図８に示す行動情報２０２１から、字句Ｗ３「アウトレットショップ」と、「ダウンジャケット」と、「買い物」を抽出する。
【０１０２】
続く、ステップＳ３０８において、地点名称推測部４０は、施設情報４４１又は４１０を参照し、行動情報２０２１に含まれる施設の属性と共通の属性が対応づけられた施設が、停車地点から所定距離範囲内にある施設に含まれるか否かを判断する。そして、地点名称推測部４０は、行動情報２０２１に含まれる施設の属性と共通する属性の施設を特定する。
【０１０３】
最後に、ステップＳ３０９において、地点名称推測部４０は、ステップＳ３０８において特定された施設の名称を停車地点の名称として推測する。
【０１０４】
たとえば、図５に示す施設の名称と施設の属性とが対応づけられた施設情報４４１又は４１０において、停車地点から所定距離以内にある施設である「グランベリーモール」に対して、施設の属性である「アウトレットショップ」、「ダウンジャケット」、「買い物」が対応づけられているとする。
【０１０５】
地点名称推測部４０は、図８に示す行動情報２０２１のテキスト情報の文章を形態素解析して得た、「アウトレットショップ」、「ダウンジャケット」、「買い物」のいずれか一つ以上が共通する施設である「グランベリーモール」を停車地点の名称として推測する。もちろん、施設情報４４１又は４１０において、取扱商品「ダウンジャケット」に店舗の名称「ＸＹ」が対応づけられている場合には、その店舗の名称を、停車地点の名称として推測することもできる。
【０１０６】
地点名称推測部４０は、推測した名称と、停車地点の情報（停車地点を特定する情報）とを名称付記部５０へ送出する。
【０１０７】
その後は、図６のステップＳ１０４以降の処理を行う。
【０１０８】
本実施形態の停車地点管理装置１００は、以上のように構成され、機能するので以下の効果を奏する。
【０１０９】
本実施形態は、車両の停車時刻及び停車地点と、利用者の行動が時間情報に対応づけられた行動情報２０２１とに基づいて、停車地点に名称を付することにより、利用者の実際の行動とその記憶に基づいて停車地点に名称を付することができる。このため、利用者は自動的に登録された停車地点の情報を直観的に認識（理解）することができる。
【０１１０】
つまり、停車地点が自動的に登録された場合であっても、利用者は、登録された停車地点の名称からその停車地点の場所、アクセス、施設の内容など、その停車地点を直感的に認識（理解）することができる。
【０１１１】
また、本実施形態は、車両の停車時刻に対応する時間、日にち、期間の行動に関する事柄を記したウェブログや電子メールなどの行動情報２０２１の内容から停車地点の名称を推測するため、停車地点の名称を高い確度で推測することができるとともに、このように推測された名称は利用者が地点の記憶を呼び出すキーワードとして有効に機能する。
【０１１２】
たとえば、停車地点がエンジンオフ時の緯度経度情報と共に記憶され、停車地点の名称が「東京都町田市鶴間３丁目７番付近」と登録された場合において、利用者が停車地点の住所を記憶していなければ、利用者は何処が登録されたのかを直感的に認識することができない。これに対し、本実施形態の停車地点管理装置１００は、利用者自身の行動が記録された行動情報２０２１を用いて停車地点の名称を推測するため、利用者が直感的に理解できる名称を停車地点に付して記録することができる。すなわち、記録された名称を見た利用者は、その地点の位置、アクセス、施設の内容を直感的に思いだすことができる。
【０１１３】
さらに、施設名称に関する単語を定義する施設辞書４１を参照し、停車時刻に対応する時間情報を含む行動情報２０２１から予め定義された施設を表す名称や略称を抽出し、その名称や略称に対応する施設名称をその停車地点の名称と推測するため、停車地点の名称を高い確度で推測することができる。
【０１１４】
このように施設辞書４１を予め準備しておくことにより、利用者が実際に行った施設の具体的な名称に基づいて、停車地点に名称を付することができる。
【０１１５】
すなわち、テナントビルや複合商業施設など、複数の会社、店舗が一つの地点に登録されている場合、地点の位置情報のみからその名称を付すと、テナントビルの名称や複合商業施設の名称がその停車地点の名称とされてしまう。しかし、利用者が実際に行った目的の場所が総合施設の中の特定の企業や店舗であった場合は、その目的の企業や店舗の名称は覚えていても、総合施設の名称を把握していない場合もある。このような場合において、テナントビルの名称や複合商業施設の名称を停車地点の名称として登録されても、利用者はその地点のことを認識することができない可能性が高い。これに対し、本実施形態の停車地点管理装置１００は、予め準備した施設辞書４１と、利用者自身の行動が記録された行動情報２０２１を用いて停車地点の名称を推測するため、利用者自身が行った施設の名称を停車地点に付して記録することができる。すなわち、記録された名称を見た利用者は、利用者自身の記憶からその地点の位置、アクセス、施設の内容を直感的に思いだすことができる。
【０１１６】
また、ある場所に立ち寄る行動に関する単語を定義する行動辞書４２を参照し、停車時刻に対応する時間情報を含む行動情報２０２１からある場所に立ち寄る行動に関する文節を抽出し、抽出された文節と係り受けの関係を有する単語を停車地点の名称と推測するため、その名称や略称に対応する施設名称をその停車地点の名称と推測するため、停車地点の名称を高い確度で推測することができる。
【０１１７】
行動情報２０２１に施設の名称が記載された場合であっても、利用者が実際にその施設に行ったとは限らない。たとえば、図８に示す行動情報２０２１の例では、「グランベリー」と「ラ・フェット」という２つの施設の名称が含まれる。施設の名称のみに基づいて利用者の停車地点の名称を判断すると、いずれも停車地点として判断されてしまうが、図８の行動情報２０２１に「ラ・フェットも考えたけど、やっぱりやめて」とあるように、利用者は「ラ・フェット」には実際に行っていない。これに対して、図８の行動情報２０２１に「グランベリーにお出掛け」とあるように、利用者は「ラ・フェット」に実際に出立ち寄っている。本実施形態では、行動情報２０２１のテキスト文書を構文解析しある場所に立ち寄る行動に関する単語と係り受けの関係を持つ単語を停車地点の名称とするため、実際に立ち寄っていない施設の名称を、車両の停車地点の名称と誤って推測することが防止することができる。
【０１１８】
またさらに、本実施形態では、位置情報と施設の名称とが対応づけられた施設情報４４１又は４１０に基づいて停車地点との距離が所定値未満の施設を選択し、停車時刻に対応する時間情報を含む行動情報２０２１に選択された施設の名称が含まれる場合は、選択された施設を停車地点の名称と推測する。これにより、停車地点の近傍に存在する施設が複数存在する場合であっても、利用者の実際の行動が記録された記録情報２０２１を参照して、利用者が実際に行った施設の名称を推測することができる。
【０１１９】
また、位置情報のみから停車地点の名称を検索する際に、ナビゲーション装置１０００のＧＰＳシステム２０１に誤差が生じ、検出された位置情報にずれが生じた場合には、停車地点の施設を近隣の別施設として判断することがある。これに対し、本実施形態の停車地点管理装置１００は、利用者の実際の行動が記録された記録情報２０２１を参照するため、利用者が実際に行った施設の名称を推測することができる。
【０１２０】
さらに、ＧＰＳシステム２０１に誤差が生じた場合のみならず、施設同士が近接している場合や、施設の敷地が複雑に入り組んでいる場合、近隣の施設の駐車場を利用した場合などにおいても、停車地点の施設を他の施設と誤判断することなく、高い確度で停車地点の名称を推測することができる。
【０１２１】
加えて、本実施形態においては、施設の属性と施設の名称とが対応づけられた施設情報４４１又は４１０を参照し、停車時刻に対応する時間情報を含む行動情報２０２１から施設の属性を表す字句を抽出し、抽出された字句に対応する施設名称を停車地点の名称と推測する。このため、行動情報２０２１に記述された施設の属性から利用者が立ち寄った施設の名称、すなわち停車地点の名称を推測することができる。
【０１２２】
また、ウェブログや電子メールなどの行動情報２０２１において、利用者は、「何をしたか」という行動の内容について記述する可能性が高い。つまり、行動情報２０２１には、「何処に」という情報とともに、「何をしに」「何を買いに」といった内容を表現するため、施設の種別や、施設が提供するサービス、施設が販売する商品、又は施設を利用する際の目的を記述する可能性が高い。これらは、施設の属性として、施設の名称や施設のＩＤと予め対応づけることができる。
【０１２３】
このように施設の名称と施設の属性とを対応づけた施設情報４４１又は４１０と行動情報２０２１に基づいて利用者が実際に立ち寄った施設を判断することにより、高い確度で停車地点の名称を推測することができる。
【０１２４】
また、行動情報２０２１に「何をしに」「何を買いに」といった内容だけが記載され、「何処で」という情報が記載されていない場合であっても、施設の属性に基づいて停車地点の名称を推測することができる。つまり、行動情報２０２１に施設を示す固有名称が含まれていない場合でも、停車地点に名称を付することが可能となる。
【０１２５】
特に、停車地点から所定距離以内にある施設を特定することができれば、その特定された施設の属性と行動情報２０２１に記述された施設の属性とを対比することにより、停車地点の名称を高い確度で推測することができる。
【０１２６】
なお、以上説明した各実施形態は、本発明の理解を容易にするために記載されたものであって、本発明を限定するために記載されたものではない。したがって、上記の実施形態に開示された各要素は、本発明の技術的範囲に属する全ての設計変更や均等物をも含む趣旨である。
【０１２７】
すなわち、本明細書では、本発明に係る停車地点管理装置の一態様として、停車「情報取得手段の一例としての停車情報取得部２０と、行動情報取得手段の一例としての行動情報取得部３０と地点名称推測手段の一例としての地点名称推測部４０と、名称付記手段の一例としての名称付記部５０と、を備える停車地点管理装置１００を説明するが、本発明はこれに限定されるものではない。
【図面の簡単な説明】
【０１２８】
【図１】停車地点管理システム１００００の構成例を示す図である。
【図２】本実施形態に係る停車地点管理装置１００を含む車載のナビゲーション装置１０００のブロック構成の一例、情報提供サーバ２０００のブロック構成の一例、及びパーソナルコンピュータ３０００のブロック構成の一例を示す図である。
【図３】施設辞書４１の一例を示す図である。
【図４】行動辞書４２の一例を示す図である。
【図５】施設情報４４１又は４１０の一例を示す図である。
【図６】停車地点管理装置１００の動作制御手順を説明するためのフローチャート図である。
【図７】地点名称の推測処理を説明するためのフローチャート図である。
【図８】選択された行動情報２０２１の一例を示す図である。
【図９】地点名称の推測処理の他の例を説明するためのフローチャート図である。
【図１０】利用者の車両が停車した停車地点Ｘの周辺を示す図である
【図１１】利用者の車両が停車した停車地点Ｘの周辺の施設の名称を判断する処理を説明するための図である。
【符号の説明】
【０１２９】
１００００…停車地点管理システム
１０００…ナビゲーション装置
１００…停車地点管理装置
１０…通信部
２０…停車情報取得部
２１…停車情報記憶機能
３０…行動情報取得部
４０…地点名称推測部
４１…施設辞書
４２…行動辞書
４３…構文分析機能
４４…施設情報参照機能
４４１…施設情報
５０…名称付記部
６０…出力部
２００…現在位置検出装置
３００…記憶装置
４００…地図情報
５００…経路探索部
４０００…車両コントローラ
５０００…入出力装置
【図１】
2010048658.tif 000003
【図２】
2010048658.tif 000004
【図３】
2010048658.tif 000005
【図４】
2010048658.tif 000006
【図５】
2010048658.tif 000007
【図６】
2010048658.tif 000008
【図７】
2010048658.tif 000009
【図８】
2010048658.tif 000010
【図９】
2010048658.tif 000011
【図１０】
2010048658.tif 000012
【図１１】
2010048658.tif 000013